(57)【要約】【課題】安価に製造でき、様々な角度の結合に対して容易に構成される接合部材の提供。【解決手段】接合部材は、第１の部材と第２の部材との間にある折り目により第２の略平坦な部材に連結されている第１の略平坦な部材を有し、折り目は、第１の部材と第２の部材とが折り目全体に亘って折り曲げられることを可能し、それにより第１の部材と第２の部材とが様々な選択された角度の１つをもって配置されるようになっている。【選択図】図１
2015183513.tif 000002
【特許請求の範囲】
【請求項１】
構造的結合（１）であって、
ａ．第１の取付け面（２０１）及び該第１の取付け面（２０１）と角度をなす第２の取付け面（２０２）を有する第１の細長形状の構造部材（５０）と、
ｂ．第３の取付け面（３０１）及び該第３の取付け面（３０１）と角度をなす第４の取付け面（３０２）を有する第２の細長形状の構造部材（５０）と、
ｃ．複数の留め具（４）と、
ｄ．前記複数の留め具（４）と協働して、前記第１の細長形状の構造部材（５０）と前記第２の細長形状の構造部材（５０）との結合（１）を安定化させる接合部材（５）と
を備え、前記接合部材（５）が、
ｉ．第１の略平坦な部材（６）及び第２の略平坦な部材（６）並びに折曲領域（８）であって、前記第１の略平坦な部材（６）及び前記第２の略平坦な部材（６）は剛性金属から形成され、前記第１の略平坦な部材（６）は第１の端部（７）を有し、前記第２の略平坦な部材（６）は第２の端部（７）を有し、前記折曲領域（８）が前記第１の端部（７）と前記第２の端部（７）との間に配置されており、それにより、前記第１の端部（７）と前記第２の端部（７）とは選択可能な角度で位置付けられるようになっており、前記第１の略平坦な部材（６）は、前記第１の端部（７）と前記折曲領域（８）との間にある少なくとも１つの留め具（４）により前記第１の細長形状の構造部材（５０）の前記第１の取付け面（２０１）に取り付けられ、前記第２の略平坦な部材（６）は、前記第２の端部（７）と前記折曲領域（８）との間にある少なくとも１つの留め具（４）により前記第２の細長形状の構造部材（５０）の前記第３の取付け面（３０１）に取り付けられている、第１の略平坦な部材（６）及び第２の略平坦な部材（６）並びに折曲領域（８）、
ｉｉ．前記第１の端部（７）に近接した第１のパネル部材（９）であって、第１の遠位端（１０）及び第１の内端部（１１）を有し、前記第１の内端部（１１）は第１の角形接合部（１２）において前記第１の略平坦な部材（６）に隣接している、第１のパネル部材（９）、および
ｉｉｉ．前記第２の端部（７）に近接した第２のパネル部材（９）であって、第２の遠位端（１０）及び第２の内端部（１１）を有し、前記第２の内端部（１１）は第２の角形接合部（１２）において前記第２の略平坦な部材（６）に隣接している、第２のパネル部材（９）
を有し、
（ａ）前記第１のパネル部材（９）と前記第２のパネル部材（９）とは、前記折曲領域（８）の近傍で分離されており、
（ｂ）前記第１のパネル部材（９）は、前記第１の略平坦な部材（６）及び前記第１の内端部（１１）に近接した、前記折曲領域（８）が折り曲げられていないときには前記第２のパネル部材（９）の方へ突出している第１のタブ拡張部（１３）を有し、該第１のタブ拡張部（１３）は、前記少なくとも１つの留め具（４）により前記第２の取付け面（２０２）及び前記第４の取付け面（３０２）のうちの一方に取り付けられており、
（ｃ）前記第２のパネル部材（９）は、前記第２の遠位端（１０）に近接した、前記折曲領域（８）が曲げられていないときには前記第１のパネル部材（９）の方へ突出している第２のタブ拡張部（１３）を有し、該第２のタブ拡張部（１３）は、前記少なくとも１つの留め具（４）により前記第２の取付け面（２０２）及び前記第４の取付け面（３０２）のうちの一方に取り付けられている、構造的結合。
【請求項２】
ａ．前記第１のタブ拡張部（１３）は、前記折曲領域（８）が折り曲げられていないときには、前記第２のタブ拡張部（１３）と前記略平坦な部材（６）との間にある、請求項１に記載された構造的結合。
【請求項３】
ａ．前記第１のパネル部材（９）と前記第２のパネル部材（９）とは、前記折曲領域（８）が折り曲げられていないときには、矩形（１００）により画定される、請求項２に記載された構造的結合。
【請求項４】
ａ．前記第１の遠位端（１０）から前記第１の内端部（１１）までの前記第１のパネル部材（９）の幅は、前記第２の遠位端（１０）から前記第２の内端部（１１）までの前記第２のパネル部材（９）の幅と等しく、
ｂ．前記第１のタブ拡張部（１３）と前記第２のタブ拡張部（１３）とを合わせると、前記第１の遠位端（１０）から前記第１の内端部（１１）までの前記第１のパネル部材（９）の幅と実質的に同じ幅であり、
ｃ．前記第１のタブ拡張部（１３）と前記第２のタブ拡張部（１３）とを合わせると、前記第２の遠位端（１０）から前記第２の内端部（１１）までの前記第２のパネル部材（９）の幅と実質的に同じ幅である、請求項３に記載された構造的結合。
【請求項５】
ａ．前記第１のタブ拡張部（１３）及び前記第２のタブ拡張部（１３）のうちの少なくとも１つは、前記折曲領域（８）を通過して延在している、請求項２に記載された構造的結合。
【請求項６】
ａ．前記第１のパネル部材（９）と前記第２のパネル部材（９）とは、前記折曲領域（８）が折り曲げられていないときには、狭いＳ字湾曲間隙（１５）により分離されている、請求項２に記載された構造的結合。
【請求項７】
ａ．前記第１のパネル部材（９）が略平坦であり、
ｂ．前記第２のパネル部材（９）が略平坦である、請求項１に記載された構造的結合。
【請求項８】
ａ．前記第１のパネル部材（９）は、前記略平坦な部材（６）の、前記第１の端部（７）と前記折曲領域（８）との間の部分に対して直角であり、
ｂ．前記第２のパネル部材（９）は、前記略平坦な部材（６）の、前記第２の端部（７）と前記折曲領域（８）との間の部分に対して直角である、請求項７に記載された構造的結合。
【請求項９】
ａ．前記折曲領域（８）は、１８０度から９０度までの間の任意の角度で折り曲げることができるようになっている、請求項８に記載された構造的結合。
【請求項１０】
ａ．前記第１の細長形状の構造部材（５０）及び前記第２の細長形状の構造部材（５０）のうちの一方は垂直支柱である、請求項１に記載された構造的結合。
【請求項１１】
ａ．前記接合部材（５）の前記第１の略平坦な部材（６）及び前記第２の略平坦な部材（６）がエンボス加工されている、請求項１に記載された構造的結合。
【請求項１２】
ａ．前記接合部材（５）の前記第１の略平坦な部材（６）は、前記第１の端部（７）と前記折曲領域（８）との間に第１の個別エンボス（１４）を有し、
ｂ．前記接合部材（５）の前記第２の略平坦な部材（６）は、前記第２の端部（７）と前記折曲領域（８）との間に第２の個別エンボス（１４）を有する、請求項１１に記載された構造的結合。
【請求項１３】
ａ．前記第１の細長形状の構造部材（５０）及び前記第２の細長形状の構造部材（５０）のうちの一方は垂直支柱であり、
ｂ．前記第１の細長形状の構造部材（５０）及び前記第２の細長形状の構造部材（５０）のうちの他方は対角ブレーシング部材である、請求項１２に記載された構造的結合。
【請求項１４】
ａ．前記第１の細長形状の構造部材（５０）及び前記第２の細長形状の構造部材（５０）のうちの一方は垂直支柱であり、
ｂ．前記第１の細長形状の構造部材（５０）及び前記第２の細長形状の構造部材（５０）のうちの他方は水平梁である、請求項１２に記載された構造的結合。
【請求項１５】
ａ．前記第１のパネル部材（９）及び前記第２のパネル部材（９）のうちの少なくとも一方は、対応するタブ拡張部（１３）にない前記留め具（４）を用いて、前記第１の細長形状の構造部材（５０）及び前記第２の細長形状の構造部材（５０）のうちの一方に更に取り付けられている、請求項１に記載された構造的結合。
【請求項１６】
ａ．前記第１のパネル部材（９）及び前記第２のパネル部材（９）のうちの少なくとも一方は、対応するタブ拡張部（１３）にある前記留め具（４）を用いて、前記第１の細長形状の構造部材（５０）及び前記第２の細長形状の構造部材（５０）のうちの一方に取り付けられており、該パネル部材（９）は、対応するタブ拡張部（１３）にない前記留め具（４）を用いて、前記第１の細長形状の構造部材（５０）及び前記第２の細長形状の構造部材（５０）うちの他方に取り付けられている、請求項１５に記載された構造的結合。
【請求項１７】
ａ．前記第１のタブ拡張部（１３）は前記折曲領域（８）を通過して延在しており、
ｂ．前記第１のパネル部材（９）及び前記第２のパネル部材（９）は、前記折曲領域（８）が折り曲げられていないときには、狭い間隙（１５）により分離されており、
ｃ．前記第１の角形接合部（１２）は前記折曲領域（８）まで延在せずに、前記狭い間隙（１５）が、前記第１の略平坦な部材（６）の、前記折曲領域（８）と前記折曲領域（８）に隣接した前記第１の略平坦な部材（６）の前記第１の端部（７）との間の部分に沿って、前記第１のパネル部材（９）を前記第１の略平坦な部材（６）から分離するようになっている、請求項１に記載された構造的結合。
【請求項１８】
ａ．前記第１の細長形状の構造部材（５０）及び前記第２の細長形状の構造部材（５０）のうちの一方は、前記第１の細長形状の構造部材（５０）及び前記第２の細長形状の構造部材（５０）の他方の前記取付け面（２０１、２０２、３０１、３０２）の１つに当接している端面（４００）を有する、請求項１に記載された構造的結合。
【発明の詳細な説明】
【技術分野】
【０００１】
本発明は、軽量骨組（フレーム）の構造的結合を提供するものである。詳細には、本発明は、鋭角をなして２つの軽量骨組部材を結合させる接合部材を提供し、この接合部材自体はその鋭角の補角を成す外側の鈍角を占める。
【背景技術】
【０００２】
２つの部材を直角に結合する軽量骨組構造では、多数の接合部材が存在する。本発明は、２つの部材の結合、詳細にはブレースを形成する場合などの鋭角を成す２つの部材の結合に使用できる接合部材を提供する。この接合部材は、様々な鋭角を成す部材間を強固に結合することに特に適している。
【０００３】
本接合部材は、改良されたニー・ブレース・スタビライザ（安定材）であり、ニー・ブレースの形態の第１の細長形状の構造部材と第２の柱又は梁の形態の細長形状の構造部材との間に構造的結合を形成し、独立して立っている構造物の安定化を助け、且つアメリカ木材協会（Ａｍｅｒｉｃａｎ  Ｗｏｏｄ  Ｃｏｕｎｃｉｌ）の「Ｄｅｓｉｇｎ  ｆｏｒ  Ｃｏｄｅ  Ａｃｃｅｐｔａｎｃｅ  ６−Ｐｒｅｓｃｒｉｐｔｉｖｅ  Ｒｅｓｉｄｅｎｔｉａｌ  Ｗｏｏｄ  Ｄｅｃｋ  Ｃｏｎｓｔｒｕｃｔｉｏｎ  Ｇｕｉｄｅ」などの多数の規範のデッキ・ブレーシング要件に適合する。本接合部材は、２×、４×、及び６×の直列柱−梁構成をブレースにより補強することに特に適している。
【発明の概要】
【課題を解決するための手段】
【０００４】
本発明は、第１の略平坦な部材と第２の略平坦な部材との間にある折曲領域又は折り目により第２の略平坦な部材に連結されている第１の略平坦な部材を有する接合部材を提供する。この折曲領域により、第１の略平坦な部材と第２の略平坦な部材とが、それらの間の折曲部において折り曲げられることが可能になり、第１の略平坦な部材と第２の略平坦な部材とが無制限の様々な選択された角度の１つで位置付けされるようになっている。第１の略平坦な部材は第１の長手方向軸線を有し、折曲部が軸線の一端にある一方、第１の略平坦な部材の遠位端が軸線の反対側端部にある。第２の略平坦な部材は第２の長手方向軸線を有し、折曲部が軸線の一端にある一方、第２の略平坦な部材の遠位端が軸線の反対側端部にある。２つの略平坦な部材の遠位端は、広く言えば、互いに離れる方に向いている。また本発明では、第１のパネル部材が第１の角形接合部又は曲げ線において第１の平坦な部材に接続されており、第２のパネル部材が第２の角形接合部又は曲げ線において第２の平坦な部材に接続される。
【０００５】
第１の曲げ線は、折り目に対して直角に位置付けられており、第２の曲げ線も、折り目に対して直角に位置付けられる。第１の平坦な部材と第２の平坦な部材とが１８０度の角度で配置された場合、それらが単一の平面にあるように、第１の曲げ線及び第２の曲げ線は一直線になる。第１の曲げ線は、第１の略平坦な部材の長手方向軸線から横方向に離れて配置されており、第２の曲げ線は、第２の略平坦な部材の長手方向軸線から横方向に離れて配置されている。第１のパネル部材は第１の略平坦な部材に対して角度を成して位置付けられ、それらが同一平面にないようになっている。第２のパネル部材は第２の略平坦な部材に対して角度を成して位置付けられ、それらが同一平面にないようになっている。第１のパネル部材及び第２のパネル部材は、実質的に同一平面を占めている。また本発明では、第１のパネル部材は近位端及び遠位端を有して形成されており、近位端は第１の部材と第２の部材との間にある折曲部付近に配置されており、遠位端は折曲部から離れて配置されている。同様に、第２のパネル部材は近位端及び遠位端を有して形成されており、近位端は第１の部材と第２の部材との間にある折曲部付近に配置されており、遠位端は折曲部から離れて位置付けられている。第１のパネルの近位端は、第１のパネル部材から離れて延在して、第１の部材と第２の部材との間にある折曲部を越えて延在している第１の拡張部を有して形成されている。同様に、第２のパネルの近位端は、第１の部材と第２の部材との間にある折曲部を越えて延在している第２の拡張部を有して形成されている。
【０００６】
本発明の目的は、安価に製造できる接合部材を提供することである。この目的は、第１の部材及び第２の部材が同一平面に並んだ場合に第１のパネル部材及び第２のパネル部材の側縁部が一直線になるように、略矩形の金属素材から接合部材を形成することにより部分的に達成される。この目的は、第２のパネル部材の材料に切込みを付けることにより第１のパネル部材の第１の拡張部を形成し、同様に第１のパネル部材の材料に切込みを付けることにより第２のパネル部材の第２の拡張部を形成することによって更に達成される。
【０００７】
本発明の目的は、様々な角度の結合に対して容易に構成される接合部材を提供することである。
【０００８】
また、本発明は、第１の細長形状の骨組部材と第２の細長形状の骨組部材との結合を実現する。第１の結合は、接合部材を貫通して第１の骨組部材及び第２の骨組部材内に挿入される留め具により第１の骨組部材及び第２の骨組部材に取り付けられる接合部材を有する。第１の細長形状の骨組部材は、第１の平坦な取付け面と第１の平坦な取付け面に対して角度を成す側面取付け面とを備えて形成されている。第２の細長形状の骨組部材は、第２の平坦な取付け面と第２の平坦な取付け面に対して角度を成す側面取付け面とを備えて形成されている。また、第１の細長形状の骨組部材及び第２の細長形状の骨組部材のうちの一方又は両方が、第１の骨組部材と第２の骨組部材とが９０度未満の角度で結合される場合の平坦な当接面を備えて形成されている。
【０００９】
第１の細長形状の骨組部材又は第２の細長形状の骨組部材のどちらかの当接面は、この当接面が第２の細長形状の骨組部材に形成されている場合には第１の細長形状の骨組部材の第１の平坦な取付け面との接続関係又は当接関係にある。あるいは、当接面が第１の細長形状の骨組部材に形成されている場合には第２の細長形状の骨組部材の第２の平坦な取付け面との接続関係又は当接関係にある。
【００１０】
ある状況では、接合部材は、互いに隣接した第１の構造部材及び第２の構造部材の同一平面上の面に取り付けられる。このような配置では、接合部材は折れ曲がっておらず、第１の略平坦な部材及び第２の略平坦な部材は同一平面を占めている。
【００１１】
本発明による結合を形成する場合、第１の構造部材の第１の取付け面は、接合部材の第１の平坦な部材の取付け面と接続しており、第２の構造部材の第２の取付け面は、接合部材の第２の平坦な部材の取付け面と接続しており、第１の平坦な部材と第２の平坦な部材との間にある折り目は、第１の細長形状の部材と第２の細長形状の部材との間にある接合部に配置されている。
【００１２】
最も鋭角の結合のための拡張部を備えた第１の略平坦な部材及び第２の略平坦な部材のうちの少なくとも一方は、両構造部材に留め具を有する。隣接した同一平面上にある面の結合の場合、両方の平坦な部材が両構造部材に留め具を有する。
【００１３】
接合部材の側面パネル部材は、接合部材の素材において及び接合部材が折れ曲がっていないときに、近接して対向している縁部を有する。それらの間の狭い空間は、一方の側面パネル部材と平坦な部材の一方との間にある接合部に沿って切り返すＳ字湾曲部を形成しており、どちらの側面パネル部材も、２つの平坦な部材を分離する折曲領域に直接隣接して平坦な部材に取り付けられないようになっている。
【図面の簡単な説明】
【００１４】
【図１】本発明により形成された結合の斜視図。
【図２】本発明により形成された結合の分解斜視図。
【図３】本発明により形成された接合部材の側面立面図。
【図４】本発明により形成された接合部材の底面平面図。
【図５】本発明により形成された接合部材の薄板金属素材の上面平面図。
【図６】本発明により形成された複数の結合の底面平面図。
【図７】本発明により形成された複数の結合の側面立面図。
【図８】本発明により形成された複数の結合の側面立面図。
【図９】本発明により形成された複数の結合の底面平面図。
【図１０】本発明により形成された複数の結合の側面立面図。
【発明を実施するための形態】
【００１５】
図１に示される通り、本発明は、第１の細長形状の構造部材５０と、第２の細長形状の構造部材５０と、複数の留め具４と、接合部材５とを含む構造的結合１である。接合部材５は、ニー・ブレース５０の形態の第１の細長形状の構造部材５０と柱５０又は梁５０の形態の第２の細長形状の構造部材５０との構造的結合１を形成するニー・ブレース・スタビライザ５であることが好ましく、独立して立つ構造物の安定化を助け、アメリカ木材協会の「Ｄｅｓｉｇｎ  ｆｏｒ  Ｃｏｄｅ  Ａｃｃｅｐｔａｎｃｅ  ６−Ｐｒｅｓｃｒｉｐｔｉｖｅ  Ｒｅｓｉｄｅｎｔｉａｌ  Ｗｏｏｄ  Ｄｅｃｋ  Ｃｏｎｓｔｒｕｃｔｉｏｎ  Ｇｕｉｄｅ」などの多数の規定されたデッキ・ブレーシング要件に適合するものである。接合部材５は、２×、４×、及び６×の直列柱−梁構成をブレースで補強することが好ましい。
【００１６】
図１に示される通り、第１の細長形状の構造部材５０は、第１の取付け面２０１、および第１の取付け面２０１と角度をなす第２の取付け面２０２を有することが好ましい。第２の細長形状の構造部材５０は、第３の取付け面３０１、および第３の取付け面３０１と角度をなす第４の取付け面３０２を有することが好ましい。
【００１７】
複数の留め具４は、２．５インチ（８ペニー）（８ｄ）釘であることが好ましい。Ｓｉｍｐｓｏｎ  Ｓｔｒｏｎｇ−Ｔｉｅ  Ｓｔｒｏｎｇ−Ｄｒｉｖｅ（登録商標）ＳＤ９×１  １／２（０．３３２７ｃｍ×３．８１ｃｍ（０．１３１インチ×１  １／２インチ））ねじは、２．５インチ釘の代わりとなる。接合部材５は、合計１２本の２．５インチ釘を用いて取り付けられることが好ましい。第１の略平坦な部材６及び第２の略平坦な部材６並びに第１のパネル部材９及び第２のパネル部材９は、最適な留め具配置を実現する留め具開口部１６を備えて形成されることが好ましい。
【００１８】
接合部材５は、複数の留め具４と協働して、第１の細長形状の構造部材５０と第２の細長形状の構造部材５０との結合１を安定化させる。
【００１９】
接合部材５は、第１の略平坦な部材６及び第２の略平坦な部材６、第１のパネル部材９、並びに第２のパネル部材９を有することが好ましい。第１の略平坦な部材６及び第２の略平坦な部材６は、剛性金属、好ましくは亜鉛めっき鋼板から形成されることが好ましい。第１の略平坦な部材６は、第１の端部７を含むことが好ましく、第２の略平坦な部材６は第２の端部７を含み、第１の端部７と第２の端部７との間に折曲領域８が設けられており、それにより、第１の端部７と第２の端部７とは、選択可能な角度で位置付けられるようになされている。第１の略平坦な部材６は、第１の端部７と折曲領域８との間の少なくとも１つの留め具４により、第１の細長形状の構造部材５０の第１の取付け面２０１に取り付けられることが好ましく、第２の略平坦な部材６は、第２の端部７と折曲領域８との間の少なくとも１つの留め具４により、第２の細長形状の構造部材５０の第３の取付け面３０１に取り付けられることが好ましい。接合部材５は、折曲領域８が４５度の角度で折り曲げられた状態で、工場で作製されることが好ましい。折曲領域８は、作業現場で折り曲げるのは一度だけにすることという警告があるが、他の角度に作業現場で折り曲げることができる。
【００２０】
第１のパネル部材９は、第１の略平坦な部材６の第１の端部７付近に設けられることが好ましい。第１のパネル部材９は、第１の遠位端１０と第１の内端部１１とを有することが好ましく、第１の内端部１１は、第１の角形接合部１２により第１の略平坦な部材６に隣接している。第２のパネル部材９は第２の端部７付近に設けられることが好ましく、第２のパネル部材９は、第２の遠位端１０および第２の内端部１１を有し、第２の内端部１１は、第２の角形接合部１２により第２の略平坦な部材６に隣接していることが好ましい。
【００２１】
第１のパネル部材９と第２のパネル部材９とは、折曲領域８付近で分れていることが好ましい。第１のパネル部材９は、第１の略平坦な部材６及び第１の内端部１１付近にあり、折曲領域８が折り曲げられていないときは第２のパネル部材９の方へ突出している第１のタブ拡張部１３を有することが好ましい。第１のタブ拡張部１３は、少なくとも１つの留め具４により、第２の取付け面２０２及び第４の取付け面３０２のうちの一方に取り付けられていることが好ましい。第２のパネル部材９は、第２の遠位端１０付近にあり、折曲領域８が折り曲げられていないときは第１のパネル部材９の方へ突出している第２のタブ拡張部１３を有することが好ましい。第２のタブ拡張部１３は、少なくとも１つの留め具４により、第２の取付け面２０２及び第４の取付け面３０２のうちの一方に取り付けられている。
【００２２】
第１のタブ拡張部１３は、折曲領域８が折り曲げられていないときは、第２のタブ拡張部１３と略平坦な部材６との間にあることが好ましい。接合部材５の構成部分の空間的関係は、当然、折曲領域８の角度が変化すると変化する。
【００２３】
図５に示される通り、第１のパネル部材９及び第２のパネル部材９は、折曲領域８が折り曲げられていないときには、矩形１００により画定されることが好ましい。図５からわかる通り、接合部材５の全体の平らな素材１７は略矩形であり、そのために、製造における材料のむだが最小限になる。接合部材５は、自動化された薄板金属形成装置により形成されることが好ましい。
【００２４】
第１の遠位端１０から第１の内端部１１までの第１のパネル部材９の幅は、第２の遠位端１０から第２の内端部１１までの第２のパネル部材９の幅と同じであることが好ましい。第１のタブ拡張部１３と第２のタブ拡張部１３とを合わせると、第１の遠位端１０から第１の内端部１１までの第１のパネル部材９の幅と実質的に同じ幅であることが好ましい。第１のタブ拡張部１３と第２のタブ拡張部１３とを合わせると、第２の遠位端１０から第２の内端部１１までの第２のパネル部材９の幅と実質的に同じ幅であることが好ましい。
【００２５】
第１のタブ拡張部１３及び第２のタブ拡張部１３の少なくとも一方が、折曲領域８を通過して延在していることが好ましい。折曲領域８は、第１の略平坦な部材６及び第２の略平坦な部材６を側辺に沿って分割しており、第１のタブ拡張部１３及び第２のタブ拡張部１３のうちの一方又は両方は、第１の略平坦な部材６及び第２の略平坦な部材６に沿ってその境界線を通過して延びることができる。
【００２６】
第１のパネル部材９と第２のパネル部材９とは、折曲領域８が折り曲げられていないときは、狭いＳ字湾曲間隙１５により分離されていることが好ましい。接合部材５が折り曲げられると、第１のパネル部材９と第２のパネル部材９とは離れるが、第１のタブ拡張部１３と第２のタブ拡張部１３とは、一方が他方の端部の周囲を回転するので、非常に近接した状態に維持される。
【００２７】
第１のパネル部材９は略平坦であり、第２のパネル部材９も略平坦であることが好ましい。第１のパネル部材９は、第１の略平坦な部材６の、第１の端部７と折曲領域８との間にある部分に対して直角であることが好ましい。第２のパネル部材９も、第２の略平坦な部材６の、第２の端部７と折曲領域８との間にある部分に対して直角であることが好ましい。折曲領域８は、１８０度から９０度までの間の任意の角度に折り曲げることができることが好ましい。
【００２８】
接合部材５の略平坦な部材６はエンボス加工されていることが好ましい。接合部材５の略平坦な部材６は、第１の端部７と折曲領域８との間にある第１のエンボス１４を有することが好ましく、少なくとも１つ留め具４が第１のエンボス１４内に配置されている。接合部材５の略平坦な部材６は、第２の端部７と折曲領域８との間にある第２のエンボス１４を有することが好ましく、少なくとも１つ留め具４が第２のエンボス１４内に配置されている。エンボス１４は、留め具４が配置されている各環状矩形の内側のエンボス加工されていない部分を備えた、丸い角部を有する環状矩形として形成されていることが好ましい。エンボス１４は、折曲領域８を横断しない個別要素であることが好ましい。
【００２９】
第１の細長形状の構造部材５０及び第２の細長形状の構造部材５０のうちの一方が垂直支柱であることが好ましい。第１の細長形状の構造部材５０及び第２の細長形状の構造部材５０のうちの一方が垂直支柱であり、他方が対角ブレーシング部材であることが好ましい。或いは、第１の細長形状の構造部材５０及び第２の細長形状の構造部材５０の一方が垂直支柱であり、他方が水平梁である。
【００３０】
第１のパネル部材９及び第２のパネル部材９のうちの少なくとも一方が、対応するタブ拡張部１３にない留め具４を用いて、第１の細長形状の構造部材５０及び第２の細長形状の構造部材５０のうちの一方に更に取り付けられることが好ましい。
【００３１】
第１のパネル部材９及び第２のパネル部材９のうちの少なくとも一方が、対応するタブ拡張部１３にある留め具４を用いて、第１の細長形状の構造部材５０及び第２の細長形状の構造部材５０の一方に取り付けられ、そのパネル部材９が、対応するタブ拡張部１３にない留め具４を用いて、第１の細長形状の構造部材５０及び第２の細長形状の構造部材５０のうちの他方に取り付けられることが好ましい。
【００３２】
第１のタブ拡張部１３及び第２のタブ拡張部１３のいずれもが、折曲領域８を通過して延在していることが好ましい。第１のパネル部材９と第２のパネル部材９とは、折曲領域８が折り曲げられていないときには、狭い間隙１５により分離されていることが好ましい。第１の角形接合部１２は、狭い間隙１５が、折曲領域８と折曲領域８に隣接した略平坦な部材６の第１の端部７との間で第１の略平坦な部材６から第１のパネル部材９を分離するように、折曲領域８まで延びていないことが好ましい。これにより、第１のタブ拡張部１３は第１の略平坦な部材６から効果的に分離される。そうでなければ接合部材５が折曲領域８に隣接した第１の角状接合部１２に沿って断裂することにより破損する傾向にあると考えられるため、折曲領域８に隣接した略平坦な部材６に第１のパネル部材９を結合しないことにより、接合部材５の強度が実質的に増大する。
【００３３】
図１に示される通り、通常は接合部材５を用いて作られる殆どの結合１では、第１の細長形状の構造部材５０及び第２の細長形状の構造部材５０のうちの一方が、第１の細長形状の構造部材５０及び第２の細長形状の構造部材５０のうちの他方の取付け面２０１又は３０１の一方に当接している端面４００を有する。図６、図７、図８、図９及び図１０に示されている通り、本発明の接合部材５を用いて作られる典型的な結合はニー・ブレースであり、そこでは細長形状の構造部材２が、２つの直角に配設された細長形状の構造部材３に対して鋭角で配設されており、直角に配設された細長形状の構造部材３間の結合を更に強化する。
【図１】
2015183513.tif 000003
【図２】
2015183513.tif 000004
【図３】
2015183513.tif 000005
【図４】
2015183513.tif 000006
【図５】
2015183513.tif 000007
【図６】
2015183513.tif 000008
【図７】
2015183513.tif 000009
【図８】
2015183513.tif 000010
【図９】
2015183513.tif 000011
【図１０】
2015183513.tif 000012
【外国語明細書】
2015183513000001.pdf